(57)【要約】【課題】冷媒音を低減し、かつ除霜運転時における消費電力を低減することが可能な空気調和機を提供する。【解決手段】この空気調和機では、除霜運転時において所定時間ΔＴごとに室外熱交換器５の冷媒回路の温度ｔｅｍｐＡと所定温度Ｔｅｍｐ１（たとえば８℃）とを比較する。ｔｅｍｐＡ＞Ｔｅｍｐ１の場合は、冷媒の循環量を減らしてもよいと判断して、圧縮機６の回転数を所定数だけ下げるとともに、膨張弁３の開度を所定量だけ下げる。これにより、室外熱交換器５の冷媒回路の温度ｔｅｍｐＡが所定温度Ｔｅｍｐ１近傍を維持するように冷媒の循環量が制御される。したがって、除霜運転から暖房運転に切換える際に冷媒音が発生するのが防止される。また、冷媒の循環量が必要以上に多くならないように調節されるため、除霜運転時の消費電力が低減される。【選択図】図５
2007187376.tif 000002
【特許請求の範囲】
【請求項１】
暖房時は、室内熱交換器で発生した冷媒液を減圧装置で減圧して室外熱交換器に与え、該室外熱交換器で発生した冷媒ガスを圧縮機で圧縮して前記室内熱交換器に与え、前記室外熱交換器の除霜時は、前記室外熱交換器で発生した冷媒液を前記減圧装置で減圧して前記室内熱交換器に与え、該室内熱交換器で発生した冷媒ガスを前記圧縮機で圧縮して前記室外熱交換器に与える空気調和機において、
前記室外熱交換器を構成する冷媒回路の温度を検出する温度センサと、
前記室外熱交換器の除霜時において、所定時間ごとに前記温度センサの検出値と予め定められた温度とを比較し、前記温度センサの検出値が前記予め定められた温度よりも高い場合は前記圧縮機の回転数を所定数だけ低下させる制御部とを備えたことを特徴とする、空気調和機。
【請求項２】
前記減圧装置は、前記室内熱交換器と前記室外熱交換器の間に設けられた膨張弁であり、
前記制御部は、さらに、前記室外熱交換器の除霜時において、前記温度センサの検出値が前記予め定められた温度よりも高い場合は前記膨張弁の開度を閉じる方向に制御する、請求項１に記載の空気調和機。
【請求項３】
前記温度センサは、前記室外熱交換器を構成する冷媒回路の配管の略中間部分に設けられる、請求項１または請求項２に記載の空気調和機。
【請求項４】
暖房時は、室内熱交換器で発生した冷媒液を減圧装置で減圧して室外熱交換器に与え、該室外熱交換器で発生した冷媒ガスを圧縮機で圧縮して前記室内熱交換器に与え、前記室外熱交換器の除霜時は、前記室外熱交換器で発生した冷媒液を前記減圧装置で減圧して前記室内熱交換器に与え、該室内熱交換器で発生した冷媒ガスを前記圧縮機で圧縮して前記室外熱交換器に与える空気調和機において、
前記室外熱交換器を構成する冷媒回路の温度を検出する第１の温度センサと、
前記室内熱交換器を構成する冷媒回路の温度を検出する第２の温度センサと、
前記室外熱交換器の除霜時において、所定時間ごとに前記第１および第２の温度センサの検出値の差と予め定められた値とを比較し、前記第１および第２の温度センサの検出値の差が前記予め定められた値よりも大きい場合は前記圧縮機の回転数を所定数だけ低下させる制御部とを備えたことを特徴とする、空気調和機。
【請求項５】
前記減圧装置は、前記室内熱交換器と前記室外熱交換器の間に設けられた膨張弁であり、
前記制御部は、さらに、前記室外熱交換器の除霜時において、前記第１および第２の温度センサの検出値の差が前記予め定められた値よりも大きい場合は前記膨張弁の開度を閉じる方向に制御する、請求項４に記載の空気調和機。
【請求項６】
前記第１の温度センサは、前記室外熱交換器を構成する冷媒回路の配管の略中間部分に設けられ、
前記第２の温度センサは、前記室内熱交換器を構成する冷媒回路の配管の略中間部分に設けられる、請求項４または請求項５に記載の空気調和機。
【発明の詳細な説明】
【技術分野】
【０００１】
この発明は、空気調和機に関し、特に、室外熱交換器に着霜した場合に除霜運転を行なう空気調和機に関する。
【背景技術】
【０００２】
従来より、空気調和機は、室内熱交換器で発生した冷媒液を減圧装置で減圧して室外熱交換器に与え、その室外熱交換器で発生した冷媒ガスを圧縮機で圧縮して室内熱交換器に与え、室内暖房を行なっている。また、室外熱交換器に着霜した場合は、室外熱交換器で発生した冷媒液を減圧装置で減圧して室内熱交換器に与え、その室内熱交換器で発生した冷媒ガスを圧縮機で圧縮して室外熱交換器に与え、室外熱交換器を加熱して除霜している。除霜運転時は、除霜し易くするため、室外熱交換器に室外空気を供給する室外送風機の駆動は停止される。
【０００３】
しかし、従来の空気調和機では、除霜運転時に室外送風機の駆動を停止していたので、室外熱交換器で十分な過冷却を行なうことができず、室内熱交換器に２相（液相、気相）の冷媒が流れて冷媒音が発生するという問題があった。
【０００４】
そこで、室外熱交換器の温度が所定値Ｔ１以上になったとき圧縮機の運転を一定に維持したまま室外送風機の運転を再開し、室外熱交換器の温度がさらに上昇して所定値Ｔ２以上になったとき除霜運転を停止する除霜方法が提案された。この除霜方法では、除霜運転中に室外送風機の運転を再開するので、室外熱交換器で十分な過冷却を行なうことができ、室内熱交換器に２相の冷媒が流れて冷媒音が発生するのを防止することができる（たとえば特許文献１参照）。
【特許文献１】特開２００３−１７２５６０号公報
【発明の開示】
【発明が解決しようとする課題】
【０００５】
しかし、従来の除霜方法では、除霜運転中に圧縮機と室外送風機の両方を運転するので
、消費電力が大きくなるという問題があった。
【０００６】
それゆえに、この発明の主たる目的は、冷媒音を低減し、かつ除霜運転時における消費電力を低減することが可能な空気調和機を提供することである。
【課題を解決するための手段】
【０００７】
この発明に係わる空気調和機は、暖房時は、室内熱交換器で発生した冷媒液を減圧装置で減圧して室外熱交換器に与え、該室外熱交換器で発生した冷媒ガスを圧縮機で圧縮して室内熱交換器に与え、室外熱交換器の除霜時は、室外熱交換器で発生した冷媒液を減圧装置で減圧して室内熱交換器に与え、該室内熱交換器で発生した冷媒ガスを圧縮機で圧縮して室外熱交換器に与える空気調和機において、室外熱交換器を構成する冷媒回路の温度を検出する温度センサと、室外熱交換器の除霜時において、所定時間ごとに温度センサの検出値と予め定められた温度とを比較し、温度センサの検出値が予め定められた温度よりも高い場合は圧縮機の回転数を所定数だけ低下させる制御部とを備えたことを特徴とする。
【０００８】
好ましくは、減圧装置は、室内熱交換器と室外熱交換器の間に設けられた膨張弁であり、制御部は、さらに、室外熱交換器の除霜時において、温度センサの検出値が予め定められた温度よりも高い場合は膨張弁の開度を閉じる方向に制御する。
【０００９】
また好ましくは、温度センサは、室外熱交換器を構成する冷媒回路の配管の略中間部分に設けられる。
【００１０】
この発明に係わる他の空気調和機は、暖房時は、室内熱交換器で発生した冷媒液を減圧装置で減圧して室外熱交換器に与え、該室外熱交換器で発生した冷媒ガスを圧縮機で圧縮して室内熱交換器に与え、室外熱交換器の除霜時は、室外熱交換器で発生した冷媒液を減圧装置で減圧して室内熱交換器に与え、該室内熱交換器で発生した冷媒ガスを圧縮機で圧縮して室外熱交換器に与える空気調和機において、室外熱交換器を構成する冷媒回路の温度を検出する第１の温度センサと、室内熱交換器を構成する冷媒回路の温度を検出する第２の温度センサと、室外熱交換器の除霜時において、所定時間ごとに第１および第２の温度センサの検出値の差と予め定められた値とを比較し、第１および第２の温度センサの検出値の差が予め定められた値よりも大きい場合は圧縮機の回転数を所定数だけ低下させる制御部とを備えたことを特徴とする。
【００１１】
好ましくは、減圧装置は、室内熱交換器と室外熱交換器の間に設けられた膨張弁であり、制御部は、さらに、室外熱交換器の除霜時において、第１および第２の温度センサの検出値の差が予め定められた値よりも大きい場合は膨張弁の開度を閉じる方向に制御する。
【００１２】
また好ましくは、第１の温度センサは、室外熱交換器を構成する冷媒回路の配管の略中間部分に設けられ、第２の温度センサは、室内熱交換器を構成する冷媒回路の配管の略中間部分に設けられる。
【発明の効果】
【００１３】
この発明に係わる空気調和機では、室外熱交換器を構成する冷媒回路の温度を検出する温度センサと、室外熱交換器の除霜時において、所定時間ごとに温度センサの検出値と予め定められた温度とを比較し、温度センサの検出値が予め定められた温度よりも高い場合は圧縮機の回転数を所定数だけ低下させる制御部とが設けられる。したがって、室外熱交換器を構成する冷媒回路の温度が予め定められた温度の近傍を維持するように冷媒の循環量が制御される。これにより、室外および室内側の冷媒の圧力差が無駄に大きくならないため、除霜運転から暖房運転に切換える際に冷媒音が発生するのが防止される。また、圧縮機の回転数を下げるので、除霜運転時の消費電力が低減される。また、除霜運転時に室内側の冷媒と室外側の冷媒との圧力差が大きくならないため、除霜運転から暖房運転に切換える間の待機時間を短くすることも可能になる。
【００１４】
この発明に係わる他の空気調和機では、室外熱交換器を構成する冷媒回路の温度を検出する第１の温度センサと、室内熱交換器を構成する冷媒回路の温度を検出する第２の温度センサと、室外熱交換器の除霜時において、所定時間ごとに第１および第２の温度センサの検出値の差と予め定められた値とを比較し、第１および第２の温度センサの検出値の差が予め定められた値よりも大きい場合は圧縮機の回転数を所定数だけ低下させる制御部とが設けられる。したがって、室外熱交換器を構成する冷媒回路の温度と室内熱交換器を構成する冷媒回路の温度との差が予め定められた値の近傍を維持するように冷媒の循環量が制御される。これにより、室外および室内側の冷媒の圧力差が無駄に大きくならないため、除霜運転から暖房運転に切換える際に冷媒音が発生するのが防止される。また、圧縮機の回転数を下げるので、除霜運転時の消費電力が低減される。また、除霜運転時に室内側の冷媒と室外側の冷媒との圧力差が大きくならないため、除霜運転から暖房運転に切換える間の待機時間を短くすることも可能になる。
【発明を実施するための最良の形態】
【００１５】
［実施の形態１］
図１は、この発明の実施の形態１による空気調和機の構成を示す冷媒回路図である。図１において、この空気調和機は、室内送風機１、室内熱交換器２、膨張弁３、室外送風機４、室外熱交換器５、圧縮機６、および四方弁７を備える。
【００１６】
室内送風機１は、室内空気を室内熱交換器２に供給する。室内熱交換器２は、室内送風機１から供給された室内空気と冷媒の熱交換を行なう。膨張弁３は、冷媒の圧力を低減させる。室外送風機４は、室外空気を室外熱交換器５に供給する。室外熱交換器５は、室外送風機４から供給された室外空気と冷媒の熱交換を行なう。圧縮機６は、冷媒を圧縮する。四方弁７は、暖房時と除霜時で冷媒の流れる方向を切換える。
【００１７】
暖房時は、四方弁７は図中点線の経路で冷媒を流す。室外熱交換器５で発生した冷媒ガスは、四方弁７を介して圧縮機６に与えられる。圧縮機６で圧縮された暖かい冷媒ガスは、室内熱交換器２で室内空気に熱を与えて液化する。これにより、室内空気が暖められる。室内熱交換器２で発生した冷媒液は、膨張弁３で減圧されて室外熱交換器５に与えられ、室外熱交換器５を介して室外空気の熱を吸収し、気化する。
【００１８】
室外熱交換器５に霜が付着すると、室外熱交換器５の熱交換効率が低下する。そこで、たとえば室外熱交換器５の温度が所定値以下になった場合は、室外熱交換器５に着霜したと判断して除霜運転を行なう。
【００１９】
除霜時は、四方弁７は図中実線の経路で冷媒を流し、送風機１，４は駆動停止される。室内熱交換器２で発生した冷媒ガスは、四方弁７を介して圧縮機６に与えられる。圧縮機６で圧縮された暖かい冷媒ガスは、室外熱交換器５に熱を与えて液化する。これにより、室外熱交換器５が暖められて、除霜される。室外熱交換器５で発生した冷媒液は、膨張弁３で減圧されて室内熱交換器２に与えられ、室内熱交換器２を介して室内空気の熱を吸収し、気化する。
【００２０】
図２は、室外熱交換器５の構成を示す図である。図２において、この室外熱交換器５は、長い金属配管を複数回曲げ畳んだ冷媒回路で構成される。図２中の矢印は、除霜時において冷媒が流れる方向を示している。冷媒回路の配管の中間部分には、温度センサ８が設けられている。
【００２１】
図３は、図１に示した空気調和機の構成を示すブロック図である。図３において、この空気調和機は、図１および図２で示したものに加え、操作部９および制御部１０を備える。操作部９は、電源スイッチ、温度調節キー、風量調節キー、タイマなどを含む。制御部１０は、ユーザから操作部９を介して入力された指示、温度センサ８の検出結果などに従って、送風機１，４の送風量の制御、圧縮機６の回転数の制御、膨張弁３の開度の制御、四方弁７の切換えなどを行なう。
【００２２】
図４は、除霜運転時における制御部１０の動作を示すフローチャートである。制御部１０は、ステップＳ１において、圧縮機６の駆動を開始させ、圧縮機６の駆動周波数すなわち回転数を初期値にセットするとともに、膨張弁３の開度を初期値に設定する。除霜運転によって室外熱交換器５の霜が溶け始めると、室外熱交換器５に設けられた温度センサ８の検出値ｔｅｍｐＡが上昇していく。
【００２３】
ステップＳ２において、温度センサ８の検出値ｔｅｍｐＡが所定温度ＴＥＭＰ１（たとえば８℃）に到達するまで待機し、ｔｅｍｐＡ＞ＴＥＭＰ１となった場合は冷媒の循環量を減らしてもよいと判断してステップＳ３に進む。
【００２４】
ステップＳ３において、圧縮機６の回転数を所定数だけ下げるとともに、膨張弁３の開度を所定量だけ下げる。ステップＳ４において、所定時間ΔＴが経過するまで待機した後、ステップＳ５に進む。ステップＳ５において、温度センサ８の検出値ｔｅｍｐＡが所定温度ＴＥＭＰ１よりも高いか否かを再度判別し、ｔｅｍｐＡ＞ＴＥＭＰ１である場合は冷媒の循環量を減らしてもよいと判断してステップＳ３に戻り、ｔｅｍｐＡ＞ＴＥＭＰ１でない場合は冷媒の循環量が適切であると判断してステップＳ６に進む。
【００２５】
ステップＳ６において、ｔｅｍｐＡ＞ＴＥＭＰ１となった時刻からの経過時間が所定時間Ｔｓｕｍに到達したか否かを判別し、所定時間Ｔｓｕｍが経過していなければ除霜が完了していないと判断してステップＳ４に戻り、所定時間Ｔｓｕｍが経過すれば除霜が完了したと判断して除霜運転を停止する。
【００２６】
なお、ステップＳ３において、圧縮機６の回転数のみを制御するようにしてもよいし、膨張弁３の開度のみを制御するようにしてもよい。どちらの場合でも、冷媒の循環量が必要以上に多くならないように調節することが可能である。膨張弁３の代わりにキャピラリーチューブを用いる場合は、圧縮機６の回転数のみを制御する。
【００２７】
図５は、温度センサ８の検出値ｔｅｍｐＡの時間変化を例示するタイムチャートである。図５において、圧縮機６の回転数および膨張弁３の開度を制御した場合の温度センサ８の検出値ｔｅｍｐＡを実線で示し、圧縮機６の回転数および膨張弁３の開度を制御しない従来の場合を点線で示す。除霜運転を開始し、圧縮機６の回転数および膨張弁３の開度が初期値に設定されて暖かい冷媒が室外熱交換器５に供給されると、室外熱交換器５の霜が溶け始めて温度センサ８の検出値ｔｅｍｐＡが上昇していく。
【００２８】
時刻ｔ１において、温度センサ８の検出値ｔｅｍｐＡが所定温度ＴＥＭＰ１を超えると、冷媒の循環量を減らしてもよいと判断して、圧縮機６の回転数を所定数Ｒ１だけ下げるとともに、膨張弁３の開度を所定量Ｉ１だけ下げる。
【００２９】
時刻ｔ１から所定時間ΔＴ経過後の時刻ｔ２において、温度センサ８の検出値ｔｅｍｐＡが所定温度ＴＥＭＰ１よりも高いか否かを再度判別する。そして、ｔｅｍｐＡ＞ＴＥＭＰ１であるため冷媒の循環量を減らしてもよいと判断して、圧縮機６の回転数を所定数Ｒ２だけ下げるとともに、膨張弁３の開度を所定量Ｉ２だけ下げる。
【００３０】
続いて、時刻ｔ２から所定時間ΔＴ経過後の時刻ｔ３において、温度センサ８の検出値ｔｅｍｐＡが所定温度ＴＥＭＰ１よりも高いか否かを再度判別する。そして、ｔｅｍｐＡ＞ＴＥＭＰ１であるため冷媒の循環量を減らしてもよいと判断して、圧縮機６の回転数を所定数Ｒ３だけ下げる。そして、時刻ｔ１からの経過時間が所定時間Ｔｓｕｍに到達すると、除霜が完了したと判断して除霜運転を停止する。
【００３１】
なお、Ｒ１〜Ｒ３およびＩ１，Ｉ２は、それぞれ任意の値に設定される。すなわち、圧縮機６の回転数および膨張弁３の開度の制御量が順次少なくなっていくように設定することができる。また、図５に示したように、膨張弁３の開度を２回までしか制御しないように設定することもできる。
【００３２】
以上のように、この実施の形態１では、室外熱交換器５の冷媒回路の温度ｔｅｍｐＡが所定温度ＴＥＭＰ１近傍を維持するように冷媒の循環量が制御される。これにより、室外熱交換器５で無駄な圧力上昇がなくなり、除霜運転終了時に室内側の冷媒と室外側の冷媒との圧力差が大きくなるのが回避される。したがって、除霜運転から暖房運転に切換える際に冷媒音が発生するのが防止される。また、圧縮機６の回転数を下げるとともに膨張弁３を絞って冷媒の循環量が必要以上に多くならないように調節するので、除霜が完了するまでに要する時間は従来よりも長くなるが、除霜運転時の消費電力が低減される。
【００３３】
また、従来は除霜運転終了時において室内側の冷媒と室外側の冷媒との圧力差が大きくなっていたため、除霜運転が終了してから圧力差が十分に小さくなるまで一定期間（たとえば９０秒）待ってから暖房運転に切換える必要があった。しかしながら、この実施の形態１では、除霜運転時に室内側の冷媒と室外側の冷媒との圧力差が大きくならないため、除霜運転から暖房運転に切換える間の待機時間を短くする（または待機時間をなくす）ことも可能になる。
【００３４】
［実施の形態１の変更例］
図６は、この発明の実施の形態１の変更例を示す図であって、図２と対比される図である。図６において、温度センサ１１は室外熱交換器５の冷媒回路の配管の出口部分に設けられる。
【００３５】
図７は、図６に示した温度センサ１１の検出値ｔｅｍｐＢの時間変化を例示するタイムチャートであって、図５と対比される図である。図７において、圧縮機６の回転数および膨張弁３の開度を制御した場合の温度センサ１１の検出値ｔｅｍｐＢを実線で示し、圧縮機６の回転数および膨張弁３の開度を制御しない従来の場合を点線で示す。
【００３６】
除霜運転を開始し、圧縮機６の回転数および膨張弁３の開度が初期値に設定されて暖かい冷媒が室外熱交換器５に供給されると、室外熱交換器５の霜が溶け始める。霜が溶けて生じた冷水は下方に流れ落ちるので、その冷水の影響により、通常は冷媒回路の上側よりも下側の方が温度上昇が遅くなる。すなわち、冷媒回路の配管の出口部分に設けられた温度センサ１１の検出値ｔｅｍｐＢは、冷媒回路の配管の中間部分に設けられた温度センサ８に比べて温度上昇が遅くなる。
【００３７】
時刻ｔ１１において、温度センサ１１の検出値ｔｅｍｐＢが所定温度ＴＥＭＰ２を超えると、冷媒の循環量を減らしてもよいと判断して、圧縮機６の回転数を所定数Ｒ１だけ下げるとともに、膨張弁３の開度を所定量Ｉ１だけ下げる。なお、所定温度ＴＥＭＰ２（たとえば２℃）は、所定温度ＴＥＭＰ１（たとえば８℃）よりも低い値に設定される。
【００３８】
時刻ｔ１１から所定時間ΔＴ経過後の時刻ｔ１２において、温度センサ１１の検出値ｔｅｍｐＢが所定温度ＴＥＭＰ２よりも高いか否かを再度判別する。そして、ｔｅｍｐＢ＞ＴＥＭＰ２であるため冷媒の循環量を減らしてもよいと判断して、圧縮機６の回転数を所定数Ｒ２だけ下げるとともに、膨張弁３の開度を所定量Ｉ２だけ下げる。続いて、時刻ｔ１２から所定時間ΔＴ経過後の時刻ｔ１３において、温度センサ１１の検出値ｔｅｍｐＢが所定温度ＴＥＭＰ２よりも高いか否かを再度判別する。ｔｅｍｐＢ＞ＴＥＭＰ２であるため冷媒の循環量を減らしてもよいと判断して、圧縮機６の回転数を所定数Ｒ３だけ下げる。そして、時刻ｔ１１からの経過時間が所定時間Ｔｓｕｍに到達すると、除霜が完了したと判断して除霜運転を停止する。
【００３９】
［実施の形態２］
図８は、この発明の実施の形態２による室内熱交換器２の構成を示す図である。図８において、この室内熱交換器２は、室外熱交換器５と同様に長い金属配管を複数回曲げ畳んだ冷媒回路で構成される。冷媒回路の配管の中間部分には、温度センサ１２が設けられている。
【００４０】
図９は、この実施の形態２による除霜運転時における制御部１０の動作を示すフローチャートであって、図４と対比される図である。図９を参照して図４と異なる点は、ステップＳ２およびステップＳ５における動作である。
【００４１】
ステップＳ２において、温度センサ８の検出値ｔｅｍｐＡと温度センサ１２の検出値ｔｅｍｐＣとの差が所定値ＴＥＭＰ３を超えるまで待機し、（ｔｅｍｐＡ−ｔｅｍｐＣ）＞ＴＥＭＰ３となった場合は冷媒の循環量を減らしてもよいと判断してステップＳ３に進む。
【００４２】
またステップＳ５において、温度センサ８の検出値ｔｅｍｐＡと温度センサ１２の検出値ｔｅｍｐＣとの差が所定値ＴＥＭＰ３よりも大きいか否かを再度判別し、（ｔｅｍｐＡ−ｔｅｍｐＣ）＞ＴＥＭＰ３である場合は冷媒の循環量を減らしてもよいと判断してステップＳ３に戻り、（ｔｅｍｐＡ−ｔｅｍｐＣ）＞ＴＥＭＰ３でない場合は冷媒の循環量が適切であると判断してステップＳ６に進む。
【００４３】
図１０は、温度センサ８の検出値ｔｅｍｐＡおよび温度センサ１２の検出値ｔｅｍｐＣの時間変化を例示するタイムチャートであって、図５と対比される図である。図１０において、除霜運転を開始すると、室内熱交換器２の温度センサ１２の検出値ｔｅｍｐＣは０℃よりも低くなる。一方、除霜運転によって室外熱交換器５の霜が溶け始めると、温度センサ８の検出値ｔｅｍｐＡが上昇していき０℃よりも高くなる。
【００４４】
このような温度変化とともに室外側の冷媒が低圧になり室外側の冷媒が高圧になっていく。室内側の冷媒と室外側の冷媒との圧力差が大きくなると、除霜運転終了して四方弁を切換えて暖房運転に移行するときに冷媒音が発生してしまうため、この実施の形態２では、温度センサ８の検出値ｔｅｍｐＡと温度センサ１２の検出値ｔｅｍｐＣとの差が所定値ＴＥＭＰ３近傍を維持するように冷媒の循環量を制御する。
【００４５】
時刻ｔ２１において、温度センサ８の検出値ｔｅｍｐＡと温度センサ１２の検出値ｔｅｍｐＣとの差が所定値ＴＥＭＰ３を超えると、冷媒の循環量を減らしてもよいと判断して、圧縮機６の回転数を所定数Ｒ１だけ下げるとともに、膨張弁３の開度を所定量Ｉ１だけ下げる。
【００４６】
時刻ｔ２１から所定時間ΔＴ経過後の時刻ｔ２２において、温度センサ８の検出値ｔｅｍｐＡと温度センサ１２の検出値ｔｅｍｐＣとの差が所定値ＴＥＭＰ３よりも大きいか否かを再度判別する。そして、（ｔｅｍｐＡ−ｔｅｍｐＣ）＞ＴＥＭＰ３であるため冷媒の循環量を減らしてもよいと判断して、圧縮機６の回転数を所定数Ｒ２だけ下げるとともに、膨張弁３の開度を所定量Ｉ２だけ下げる。続いて、時刻ｔ１２から所定時間ΔＴ経過後の時刻ｔ１３において、温度センサ８の検出値ｔｅｍｐＡと温度センサ１２の検出値ｔｅｍｐＣとの差が所定値ＴＥＭＰ３よりも大きいか否かを再度判別する。そして、（ｔｅｍｐＡ−ｔｅｍｐＣ）＞ＴＥＭＰ３であるため冷媒の循環量を減らしてもよいと判断して、圧縮機６の回転数を所定数Ｒ３だけ下げる。そして、時刻ｔ２１からの経過時間が所定時間Ｔｓｕｍに到達すると、除霜が完了したと判断して除霜運転を停止する。
【００４７】
したがって、この実施の形態２では、室内側の冷媒と室外側の冷媒との圧力差が大きくなるのが回避される。これにより、実施の形態１と同様の効果が得られる。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４９】
【図１】この発明の実施の形態１による空気調和機の構成を示す冷媒回路図である。
【図２】図１に示した室外熱交換器の構成を示す図である。
【図３】図１に示した空気調和機の構成を示すブロック図である。
【図４】除霜運転時における制御部の動作を示すフローチャートである。
【図５】図２に示した温度センサの検出値ｔｅｍｐＡの時間変化を例示するタイムチャートである。
【図６】この発明の実施の形態１の変更例を示す図である。
【図７】図６に示した温度センサの検出値ｔｅｍｐＢの時間変化を例示するタイムチャートである。
【図８】この発明の実施の形態２による室内熱交換器の構成を示す図である。
【図９】この実施の形態２による除霜運転時における制御部の動作を示すフローチャートである。
【図１０】図２に示した温度センサの検出値ｔｅｍｐＡおよび図８に示した温度センサの検出値ｔｅｍｐＣの時間変化を例示するタイムチャートである。
【符号の説明】
【００５０】
１  室内送風機、２  室内熱交換器、３  膨張弁、４  室外送風機、５  室外熱交換器、６  圧縮機、７  四方弁、８，１１，１２  温度センサ、９  操作部、１０  制御部。
【図１】
2007187376.tif 000003
【図２】
2007187376.tif 000004
【図３】
2007187376.tif 000005
【図４】
2007187376.tif 000006
【図５】
2007187376.tif 000007
【図６】
2007187376.tif 000008
【図７】
2007187376.tif 000009
【図８】
2007187376.tif 000010
【図９】
2007187376.tif 000011
【図１０】
2007187376.tif 000012